(57)【要約】【課題】カウンタープレッシャー工法を使用した発泡樹脂成形品の成形方法並びに成形装置であって、中接部等、余剰ガスが滞留し易い箇所のガスを完全に抜気することで、発泡樹脂成形品における外観不良を解消する。【解決手段】可動側金型３０と固定側金型４０とを型締めして、キャビティＣを画成し、ブロー・バキューム機構５０からガスをキャビティＣ内に注入してキャビティＣの内圧を高めることで発泡樹脂材料Ｍの発泡反応を抑え、射出充填後、可動側金型３０を寸開操作させるとともに、ブロー・バキューム機構５０を通じてキャビティＣの余剰ガスを型外に抜気する際、中接部等、余剰ガスが滞留し易い箇所に設けた中接部専用バキューム機構６０から強制的に抜気することで、発泡樹脂材料Ｍの発泡時におけるキャビティＣの内圧を一定に維持することにより外観不良をなくす。【選択図】図３
2010167667.tif 000002
【特許請求の範囲】
【請求項１】
可動側金型（３０）と固定側金型（４０）とを型締めすることで形成されるキャビティ（Ｃ）内にブロー・バキューム機構（５０）を通じてガスを注入して、キャビティ（Ｃ）の内圧を高めた状態で発泡樹脂材料（Ｍ）をキャビティ（Ｃ）内に射出充填し、その後、可動側金型（３０）を寸開操作するとともに、キャビティ（Ｃ）内のガスをブロー・バキューム機構（５０）を通じて外部に抜気して、キャビティ（Ｃ）の内圧を低減することで発泡反応を促進させて発泡成形を行なう発泡樹脂成形品（１０）の成形方法において、
前記固定側金型（４０）には、ガスが滞留し易い部位のみキャビティ（Ｃ）内のガスを外部に抜気する局部専用バキューム機構（６０）が備わっており、発泡反応時には、ブロー・バキューム機構（５０）と、局部専用バキューム機構（６０）とを駆動させて、キャビティ（Ｃ）の内圧を一定かつ低減した状態で発泡成形を行なうことを特徴とする発泡樹脂成形品の成形方法。
【請求項２】
ガス注入式射出成形工法を使用する発泡樹脂成形品の成形装置（２０）であって、この成形装置（２０）は、所定ストローク上下動可能な可動側金型（３０）と、発泡樹脂材料（Ｍ）の供給機構と連設する固定側金型（４０）と、発泡樹脂材料（Ｍ）の充填前にキャビティ（Ｃ）の内圧を所定値に高めるガスを供給するとともに、発泡反応時においては、キャビティ（Ｃ）内のガスを外部に抜気するブロー・バキューム機構（５０）と、発泡反応時、キャビティ（Ｃ）内の局部に滞るガスを外部に抜気する局部専用バキューム機構（６０）とからなることを特徴とする発泡樹脂成形品の成形装置。
【発明の詳細な説明】
【技術分野】
【０００１】
この発明は、ガス注入式射出成形工法を使用する発泡樹脂成形品の成形方法並びに成形装置に係り、特に、キャビティ内のガス溜まりを解消することで、外観性能を良好に維持できる発泡樹脂成形品の成形方法並びに成形装置に関する。
【背景技術】
【０００２】
図９はドアパネル（図示せず）の室内側に装着される自動車用ドアトリム１を示すもので、このドアトリム１は、軽量で耐衝撃性能に優れ、所望の剛性を維持するとともに、コストも廉価なことから、ポリプロピレン樹脂に発泡剤を添加した発泡樹脂材料を所要形状に成形してなる発泡樹脂成形品が多く使用される傾向にある。また、このドアトリム１は、その表面中央に中接部１ａが設定され、中接部１ａの周縁には溝部１ｂが形成されている。更に、中接部１ａの下方には、乗員が肘を掛けて休めるように室内側に膨出するアームレスト１ｃが形成されるとともに、アームレスト１ｃの下部側には、ドアポケット用開口１ｄが開設され、そのフロント側にスピーカグリル１ｅがドアトリム１と一体、あるいは別体に設けられている。
【０００３】
この種発泡樹脂成形品を使用したドアトリム１を所要形状に成形する従来の成形方法について説明する。まず、図１０，図１１に示すように、このドアトリム１を成形する際に使用する成形装置２は可動側金型３と固定側金型４とから大略構成されている。更に詳しくは、可動側金型３は、昇降シリンダ３ａの駆動により所定ストローク昇降動作を行ない、下方に位置する固定側金型４との間で型締め、型開きが行なわれ、所定スペースのキャビティＣが画成される。一方、固定側金型４には、図示しない射出機から供給される発泡樹脂材料Ｍの樹脂通路となるマニホールド４ａ、ゲート４ｂが設けられており、射出機から供給される発泡樹脂材料Ｍがマニホールド４ａ、ゲート４ｂを通じてキャビティＣ内に射出充填される。また、可動側金型３が下死点まで下降して、固定側金型４との型締め時には全周に沿って配設されているシール部材５により、可動側金型３と固定側金型４との間のシール性能が良好に維持されている。
【０００４】
従来の成形装置２においては、発泡樹脂材料ＭをキャビティＣ内に充填する前にキャビティＣの内圧を高めるガスブローを行なう一方、発泡反応時においては、キャビティＣ内のガスを外部に抜気するバキュームを行なうためのブロー・バキューム機構６が設けられている。すなわち、可動側金型３と固定側金型４との間のパーティング面に臨む共用配管６ａが切替バルブ６ｂを介してそれぞれブロワ６ｃ、バキュームポンプ６ｄに分岐接続されている。
【０００５】
次に、ドアトリム１の発泡成形方法の従来例について説明する。まず、図１２（ａ）に示すように、可動側金型３と固定側金型４とが型締めされた状態で、ブロー・バキューム機構６のブロワ６ｃからガスが共用配管６ａを通じてキャビティＣ内に吹き付けられ、キャビティＣの内圧が高圧に維持される。その後、図１２（ｂ）に示すように、図示しない射出機からマニホールド４ａ、ゲート４ｂを通じてキャビティＣ内に発泡樹脂材料Ｍが射出充填される。この時、発泡樹脂材料Ｍは、キャビティＣの内圧が高まっているため、早期の発泡反応が抑えられ、キャビティＣ内に発泡樹脂材料Ｍが迅速に充填される。そして、発泡樹脂材料Ｍが充填された後、図１２（ｃ）に示すように、可動側金型３を型開方向に後退操作するとともに、ブロー・バキューム機構６の切替バルブ６ｂを切り替え、バキュームポンプ６ｄを稼動させてキャビティＣ内のガスを外部に抜気して、キャビティＣの内圧を低滅させた状態で発泡反応を行なわせる。このカウンタープレッシャー工法を使用した発泡樹脂成形品の成形方法並びに成形装置については、特許文献１に詳細に記載されている。
【先行技術文献】
【特許文献】
【０００６】
【特許文献１】特公昭５１−２７２６６号公報
【発明の概要】
【発明が解決しようとする課題】
【０００７】
このように、カウンタープレッシャー工法を使用してドアトリム１を成形する従来工法においては、図１２（ｃ）に示す発泡工程時、キャビティＣ内の余剰ガスをブロー・バキューム機構６により外部に除去する際、中接部１ａの造形上及び型構造上、可動側金型３と固定側金型４との間のクリアランスが狭いために余剰ガスを完全に除去しきれず、図１３に示すように、特に中接部１ａの製品表面にガスが残留することが原因となり、製品表面に微小凹凸（俗にユズ肌と呼ばれる）ａが生じ、外観不良が頻発するという不具合が指摘されている。このことは、中接部１ａに限るものではなく、形状的にキャビティＣ内にガスが残留し易い箇所に生じる傾向にある。
【０００８】
この発明は、このような事情に鑑みてなされたもので、カウンタープレッシャー工法を使用した発泡樹脂成形品の成形方法並びに成形装置であって、発泡樹脂材料の発泡反応時、余剰ガスがキャビティ内に滞ることなく、確実に外部に抜気処理されることで、発泡反応が良好に行なわれ、外観性能に優れた発泡樹脂成形品を量産できる発泡樹脂成形品の成形方法並びに成形装置を提供することを目的としている。
【課題を解決するための手段】
【０００９】
上記目的を達成するために、本発明者等は、カウンタープレッシャー工法を使用して、軽量でかつ剛性が強化された発泡樹脂成形品を精度良く成形する成形方法並びに成形装置において、例えば、ドアトリムの中接部等、部分的に余剰ガスが溜まり易く、外周からのバキュームだけでは余剰ガスを除去しきれない特定部位に対して局部的に専用のバキューム機構を設けることにより、従来不具合を有効に解決できることに着目し、本発明を完成するに至った。
【００１０】
すなわち、本発明は、可動側金型と固定側金型とを型締めすることで形成されるキャビティ内にブロー・バキューム機構を通じてガスを注入して、キャビティの内圧を高めた状態で発泡樹脂材料をキャビティ内に射出充填し、その後、可動側金型を寸開操作するとともに、キャビティ内のガスをブロー・バキューム機構を通じて外部に抜気して、キャビティの内圧を低減することで発泡反応を促進させて発泡成形を行なう発泡樹脂成形品の成形方法において、前記固定側金型には、ガスが滞留し易い部位のみキャビティ内のガスを外部に抜気する局部専用バキューム機構が備わっており、発泡反応時には、ブロー・バキューム機構と、局部専用バキューム機構とを駆動させて、キャビティの内圧を一定かつ低減した状態で発泡成形を行なうことを特徴とする。
【００１１】
更に、本発明方法に使用する成形装置は、ガス注入式射出成形工法を使用する発泡樹脂成形品の成形装置であって、この成形装置は、所定ストローク上下動可能な可動側金型と、発泡樹脂材料の供給機構と連設する固定側金型と、発泡樹脂材料の充填前にキャビティの内圧を所定値に高めるガスを供給するとともに、発泡反応時においては、キャビティ内のガスを外部に抜気するブロー・バキューム機構と、発泡反応時、キャビティ内の局部に滞るガスを外部に抜気する局部専用バキューム機構とからなることを特徴とする。
【００１２】
ここで、発泡樹脂成形品は、ドアトリム、リヤパーセルシェルフ、フロアトリム、トランクトリム、ラゲージサイドトリム、ルーフトリム、リヤサイドトリム等、自動車用内装部品全般に適用できるが、特に、中接用溝部等の型の抜き角が設けられておらず、可動側金型と固定側金型との間に充分な抜気ができるクリアランスが取れない形状部分を備えた内装部品に適している。更に、発泡樹脂成形品としては、合成樹脂中に発泡剤を混入した材料が使用されており、使用できる合成樹脂としては、ポリエチレン系樹脂、ポリプロピレン系樹脂、ポリスチレン系樹脂、ポリエチレンテレフタレート系樹脂、ポリビニルアルコール系樹脂、塩化ビニル系樹脂、ポリアミド系樹脂、ポリアセタール系樹脂、ポリカーボネート系樹脂、アイオノマー系樹脂、アクリロニトリル／ブタジエン／スチレン（ＡＢＳ）樹脂等から適宜選択して良く、合成樹脂に対して添加する発泡剤としては、アゾジカルボンアミド等の有機発泡剤、あるいは重炭酸ナトリウム等の無機発泡剤が使用できる。
【００１３】
そして、本発明方法は、ガス加圧工程、発泡樹脂の充填工程、発泡樹脂の発泡工程の三工程からなり、ガス加圧工程においては、可動側金型と固定側金型とを型締めすることにより画成されるキャビティ内にブロー・バキューム機構からガスが供給され、キャビティの内圧が高圧に維持される。その後、キャビティ内に発泡樹脂材料が充填されるが、キャビティの内圧がガスの供給により高まっているため、発泡反応が抑えられた未発泡の状態で速やかに発泡樹脂材料がキャビティ内に隈なく充填される。そして、発泡樹脂材料の充填が完了すれば、発泡樹脂の発泡反応が誘起されて発泡樹脂成形品が成形される。この時、可動側金型が寸開操作され、かつ余剰ガスを外部に排出するが、この余剰ガスの外部への排出については、外周に設けられた既存のブロー・バキューム機構から抜気されると同時に、中接部等、余剰ガスが滞り易い部位について、専用のバキューム機構により余剰ガスを速やかに外部に抜気することができる。
【００１４】
従って、本発明方法によれば、部分的にキャビティ内のガスが溜まり易く、外周からのバキュームだけでは余剰ガスを抜ききれない部位に対して、専用のバキューム機構を設けることにより、キャビティ内部にガスが滞留することで発泡を阻害することがなく、ユズ肌等の外観不良をなくし、外観性能を高めた発泡樹脂成形品を提供することができる。
【発明の効果】
【００１５】
以上説明した通り、本発明に係る発泡樹脂の成形方法並びに成形装置は、カウンタープレッシャー工法を採用した発泡樹脂成形品の成形方法並びに成形装置であって、キャビティ内にガスが溜まり易く、外周からのバキュームだけでは余剰ガスを抜ききれない部位に対して、専用のバキューム機構を配設することで、発泡工程時におけるガスの抜気を確実に行なうことができるというものであるから、軽量でかつ剛性が強化された発泡樹脂成形品の外観性能を良好に維持できるという効果を有する。
【図面の簡単な説明】
【００１６】
【図１】本発明方法により成形したドアトリムを示す正面図である。
【図２】図１中II−II線断面図である。
【図３】本発明に係る発泡樹脂成形品の成形装置の一実施例の全体構成を示す断面図である。
【図４】図３に示す成形装置における固定側金型の平面図である。
【図５】図１に示すドアトリムの成形方法におけるキャビティ内へのガス加圧工程を示す説明図である。
【図６】図１に示すドアトリムの成形方法における発泡樹脂材料の射出充填工程を示す説明図である。
【図７】図１に示すドアトリムの成形方法におけるキャビバック工程を示す説明図である。
【図８】図１に示すドアトリムの成形方法における発泡樹脂材料の発泡成形工程を示す説明図である。
【図９】従来のカウンタープレッシャー工法を使用して成形した発泡樹脂成形品の一例であるドアトリムの従来例を示す正面図である。
【図１０】従来のドアトリムを成形する成形装置の全体構成を示す説明図である。
【図１１】従来のドアトリムの成形装置における固定側金型の平面図である。
【図１２】従来のドアトリムの成形方法における各工程を示す説明図である。
【図１３】従来のドアトリムの成形方法における不具合点を示す説明図である。
【発明を実施するための形態】
【００１７】
以下、本発明に係る発泡樹脂成形品の成形方法並びに成形装置の好適な実施例について、添付図面を参照しながら詳細に説明する。尚、念のため付言すれば、本発明の要旨は特許請求の範囲に記載した通りであり、以下に説明する実施例の内容は、本発明の一例を単に示すものに過ぎない。
【実施例】
【００１８】
図１乃至図８は本発明の一実施例を示すもので、図１は本発明方法により成形したドアトリムを示す正面図、図２は同ドアトリムにおける中接用溝部付近の構成を示す断面図、図３は本発明に係る発泡樹脂成形品の成形装置の概略構成を示す全体図、図４は図３に示す成形装置における固定側金型の平面図、図５乃至図８は本発明方法をドアトリムの成形方法に適用した各工程を示す説明図である。
【００１９】
図１，図２において、本発明方法を適用したドアトリム１０は、図示しない車両のフロント側ドアパネルの室内面側に図示しないクリップ等の固着手段を介して取り付けられており、軽量でかつ剛性が強化された発泡樹脂成形品から構成されている。更に、製品表面の中央部分には、中接部１１が設定され、この中接部１１に別途装飾シートを貼付しても良い。更に、この中接部１１の周縁には、中接用溝部１２が凹設されている。また、中接部１１の下方には、乗員が肘を掛けて休めるように室内側に膨出するアームレスト１３が設定され、このアームレスト１３の更にフロント側下方には、図示しないポケットカバーを取り付けるためのポケット取付用フランジ１４が設定されている。
【００２０】
更に詳しくは、本発明方法により製作されるドアトリム１０は、図２に示すように、発泡層１０ａの表裏面側にスキン層１０ｂが積層されて構成されており、特に、軽量でかつ剛性が強化され、しかも発泡倍率も広範囲に設定できるカウンタープレッシャー工法が採用されている。すなわち、発泡樹脂材料の充填時には、キャビティＣ内にガスを注入して、キャビティＣの内圧を高め、かつ発泡反応時にはキャビティＣ内のガスを抜気して、キャビティＣの内圧を低めるという工法を採用すれば、造形上及び型構造上の制約を受けることなく、しかも、製品外観に凹凸不良等が生じることがなく、優れた外観意匠性が得られることが特徴である。従って、図２，図１３を対比すれば明らかなように、本発明に方法においては、中接部１１の製品表面に通常ユズ肌と呼ばれる微小凹凸（図１３中符号ａで示す）が生じることがなく、優れた外観意匠性を備えている。
【００２１】
次いで、図１，図２に示すドアトリム１０の成形方法に使用する成形装置２０の全体構成について、図３，図４を基に説明する。まず、この成形装置２０は、カウンタープレッシャー工法を採用した発泡樹脂成形品の成形方法に使用される。具体的には、成形装置２０は、相互に型締め、型開き可能な可動側金型３０、並びに固定側金型４０と、発泡樹脂材料Ｍの射出充填時におけるキャビティＣの内圧を高める一方、発泡樹脂材料Ｍの発泡反応時にキャビティＣの内圧を低めるためにそれぞれガスブロー並びにバキュームに用いるためのブロー・バキューム機構５０と、更に、中接部１１のように、余剰ガスが滞留し易い特定部位に局部的に設けられる中接部専用バキューム機構６０とから構成されている。尚、ブロー・バキューム機構５０において使用するガスは、Ｎ2 ガス、ＣＯ2 ガスの他、工場エア等も使用できる。
【００２２】
更に、可動側金型３０は、昇降シリンダ３１により所定ストローク上下動可能であるとともに、可動側金型３０の型面には、ドアトリム１０の製品形状に即した曲面形状に設定され、中接用溝部１２に対応するように凸条３２が設けられている。一方、固定側金型４０には、図示しない射出機から供給される発泡樹脂材料Ｍの樹脂通路としてのマニホールド４１、ゲート４２が設けられているとともに、上記中接用溝部１２に対応する部位に凹溝４３が形成されている。
【００２３】
そして、上記可動側金型３０と固定側金型４０とは、発泡樹脂材料Ｍを射出充填する際は、可動側金型３０が下死点まで下降しており、狭いクリアランスに調整されることで、キャビティＣの内圧を高めて、発泡反応を抑えた状態で発泡樹脂材料Ｍの射出充填が行なわれる。発泡樹脂材料ＭのキャビティＣ内への射出充填を完了した後は、キャビティＣの内圧を低めるために、キャビティＣ内の余剰ガスを外部に抜気するとともに、可動側金型３０を微小ストローク寸開操作する。発泡樹脂材料Ｍの射出充填時にキャビティＣの内圧を高めるブロー・バキューム機構５０としては、まず、可動側金型３０と固定側金型４０のパーティング面に沿って全周シール部材５１が配設されており、全周シール部材５１の内側の４隅部において、共用配管５２が外部に接続しており、この共用配管５２に切替弁５３が設けられ、ブロワ５４とバキュームポンプ５５にそれぞれ分岐接続している。従って、切替弁５３を操作することにより、キャビティＣ内にブロワ５４からガスを供給することで、キャビティＣの内圧を高めることが可能であるとともに、切替弁５３を操作して、キャビティＣ内の余剰ガスを外部に抜気することで、キャビティＣの内圧を低く制御することが可能である。
【００２４】
更に、本発明方法においては、特に、中接部１１のように、余剰ガスが滞留し易い特定部位に中接部専用バキューム機構６０を設けることが特徴であり、そのために、図３，図４に示すように、一対の専用シール部材６１を中接用溝部１２を形成するラインから延長するパーティング面に対向して設けるとともに、専用シール部材６１間のパーティング面に専用配管６２を配設し、開閉弁６３を設け、バキュームポンプ６４に上記専用配管６２を接続するという構成が採用されている。そして、発泡樹脂材料Ｍの発泡時において上記中接部専用バキューム機構６０を作用させることで、キャビティＣ内の全ての部位において余剰ガスを確実に抜気でき、ユズ肌等の外観不良がなく、美麗な外観性能を備えたドアトリム１０の成形が可能となる。
【００２５】
以下、図５乃至図８に基づいて、本発明方法の各工程について説明する。まず、図５に示すように、ドアトリム１０を成形する初期段階としては、まず、可動側金型３０が昇降シリンダ３１の駆動により所定ストローク下降して、可動側金型３０と固定側金型４０とが型締めされる。この時、発泡樹脂材料ＭはまだキャビティＣ内に供給されておらず、ブロワ５４からガスが共用配管５２を通じてキャビティＣ内に送り込まれ、キャビティＣの内圧は高圧に設定されている。
【００２６】
次いで、図６に示すように、射出機から発泡樹脂材料Ｍがマニホールド４１、ゲート４２を通じてキャビティＣ内に射出充填されるが、キャビティＣの内圧が高く制御されているため、発泡樹脂材料Ｍは発泡反応が抑えられた状態でキャビティＣ内に迅速にいきわたる。
【００２７】
その後、図７に示すように、昇降シリンダ３１の駆動により可動側金型３０を型開方向に寸開操作するとともに、ブロー・バキューム機構５０の切替弁５３を操作して、バキュームポンプ５５から中接部１１以外の部分の余剰ガスを外部に抜気するとともに、中接部１１に相当する部位については、中接部専用バキューム機構６０の開閉弁６３を開放操作することで、バキュームポンプ６４の専用配管６２を通じて中接部１１に相当する部分の余剰ガスを完全に外部に抜気し、図８に示すように、発泡樹脂材料Ｍを発泡させて発泡層１０ａとスキン層１０ｂとの積層体からなるドアトリム１０を外観性能を良好に維持しながら成形することができる。
【００２８】
このように、本発明方法を採用すれば、カウンタープレッシャー工法を前提としているため、発泡樹脂材料Ｍの射出充填時には、キャビティＣの内圧が高く、発泡反応を抑えた状態で発泡樹脂材料Ｍの射出充填が可能となり、その後、可動側金型３０を型開方向に寸開操作するとともに、余剰ガスを外周に設けたブロー・バキューム機構５０のバキューム作用により外部に抜気することで、キャビティＣの内圧を低く制御して、発泡樹脂材料Ｍの発泡成形を円滑に行なうというものであり、特に、中接部１１等、造形的に余剰ガスが滞留し易い特定部位に中接部専用バキューム機構６０を設定することで、発泡樹脂材料Ｍの発泡反応時におけるキャビティＣの内圧を適正に制御でき、凹凸不良が生じ易い中接部１１等の外観性能を美麗に維持できるという効果がある。
【産業上の利用可能性】
【００２９】
以上説明した実施例は、ドアトリム１０の成形方法に適用したが、用途はこれに限定されることなく、ガス注入式射出成形工法を使用する発泡樹脂成形品全般に適用することができる。また、キャビティＣ内の余剰ガスの滞留し易い特定部位に設ける専用バキューム機構としては、実施例のように、中接部専用バキューム機構６０に限定されることなく、一般部の溝部を有するエリア、スピーカグリル部等、余剰ガスが生じ易い箇所に適用することができる。
【符号の説明】
【００３０】
１０  ドアトリム（発泡樹脂成形品）
１０ａ  発泡層
１０ｂ  スキン層
１１  中接部
１２  中接用溝部
１３  アームレスト
１４  ポケット取付用フランジ
２０  成形装置
３０  可動側金型
３１  昇降シリンダ
３２  凸条
４０  固定側金型
４１  マニホールド
４２  ゲート
４３  凹溝
５０  ブロー・バキューム機構
５１  全周シール部材
５２  共用配管
５３  切替弁
５４  ブロワ
５５  バキュームポンプ
６０  中接部専用バキューム機構
６１  専用シール部材
６２  専用配管
６３  開閉弁
６４  バキュームポンプ
Ｍ  発泡樹脂材料
Ｃ  キャビティ
【図１】
2010167667.tif 000003
【図２】
2010167667.tif 000004
【図３】
2010167667.tif 000005
【図４】
2010167667.tif 000006
【図５】
2010167667.tif 000007
【図６】
2010167667.tif 000008
【図７】
2010167667.tif 000009
【図８】
2010167667.tif 000010
【図９】
2010167667.tif 000011
【図１０】
2010167667.tif 000012
【図１１】
2010167667.tif 000013
【図１２】
2010167667.tif 000014
【図１３】
2010167667.tif 000015